(57)【要約】【目的】印刷用紙、インク又はトナーのカートリッジ、電池等を１つのカートリッジにまとめることで、印刷する時にプリンタ本体に１回で取り付けられ簡単操作することができるプリンタカートリッジを提供すること。【構成】プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造を持つものとする。又、プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造とペーパーカートリッジ部がペーパーの交換追加がし易いよう一番上又は手前に配置してあるものとする。【選択図】      図１
2004160701.tif 000002
【特許請求の範囲】
【請求項１】
プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造を持つことを特徴とするプリンタカートリッジ。
【請求項２】
プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造とペーパーカートリッジ部がペーパーの交換追加がし易いよう一番上又は手前に配置してあることを特徴とするプリンタカートリッジ。
【請求項３】
前記カートリッジ部の表示部にバッテリーカートリッジ部からの電源でインクカートリッジ部のインク残量とバッテリーカートリッジ部の電池残量を表示する手段を持つことを特徴とする請求項２記載のプリンタカートリッジ。
【請求項４】
プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造でカートリッジ部が装着することで駆動部本体に電源が供給され本体が駆動できるように準備できることを特徴とするプリンタカートリッジ。
【請求項５】
プリンタ本体の駆動部とカートリッジ部から構成するプリンタにおいて、カートリッジ部にはペーパーカートリッジ部、インクカートリッジ部、燃料電池用の燃料カートリッジ部の合体又は組合せて使用する構造で、ペーパーカートリッジ部がペーパーの交換追加がし易いように一番上又は手前に配置してあることを特徴とするプリンタカートリッジ。
【請求項６】
前記燃料電池の燃料カートリッジ部には水素，  アルコール又はエタノール等が封入してあることを特徴とする請求項５記載のプリンタカートリッジ。
【請求項７】
プリンタ本体の駆動部には燃料電池の本体が組み込まれており、燃料カートリッジ部が装着することで本体に燃料が供給され、本体が駆動できるように準備できることを特徴とする請求項５記載のプリンタカートリッジ。
【請求項８】
前記燃料電池の燃料カートリッジ部とプリンタ本体の駆動部の間には水素、アルコール又はエタノール等の液量計又は圧力計があり、駆動部に燃料の残量を表示する手段を持つことを特徴とする請求項５記載のプリンタカートリッジ。
【請求項９】
前記燃料電池の燃料カートリッジ部とプリンタ本体の駆動部の間には液体又はガスが漏れないようにパッキン等の対策があることを特徴とする請求項５記載のプリンタカートリッジ。
【発明の詳細な説明】
【０００１】
【発明の属する技術分野】
本発明は、印刷用紙と共に必要な電源及びインクを同時に供給し取り扱いを簡単にしたプリンタカートリッジに関する。
【０００２】
【従来の技術】
従来、図８に示すように、この種のプリンタ２０ではカートリッジ２１には印刷用紙のみであり、インク又はトナーのカートリッジ１８、電池１９等は別々の取り付け個所に装填するように構成してある。
【０００３】
【発明が解決しようとする課題】
しかしながら、使用する機器の小型化と簡便化を同時に達成することが困難になってきた。
【０００４】
そこで、本発明は、印刷用紙、インク又はトナーのカートリッジ、電池等を１つのカートリッジにまとめることで、印刷する時にプリンタ本体に１回で取り付けられ簡単操作することができるプリンタカートリッジを提供すること目的とする。
【０００５】
【課題を解決するための手段】
上記目的を達成するため、本発明は、プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造を持つことを特徴とする。
【０００６】
又、本発明は、プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造とペーパーカートリッジ部がペーパーの交換追加がし易いよう一番上又は手前に配置してあることを特徴とする。
【０００７】
更に、本発明は、プリンタ本体の駆動部とカートリッジ部から構成されるプリンタにおいて、カートリッジ部がバッテリーカートリッジ部とインクカートリッジ部とペーパーカートリッジ部の合体又は組合せて使用する構造でカートリッジ部が装着することで駆動部本体に電源が供給され本体が駆動できるように準備できることを特徴とする。
【０００８】
又、本発明は、プリンタ本体の駆動部とカートリッジ部から構成するプリンタにおいて、カートリッジ部にはペーパーカートリッジ部、インクカートリッジ部、燃料電池用の燃料カートリッジ部の合体又は組合せて使用する構造で、ペーパーカートリッジ部がペーパーの交換追加がし易いように一番上又は手前に配置してあることを特徴とする。
【０００９】
【発明の実施の形態】
以下に本発明の実施の形態を添付図面に基づいて説明する。
【００１０】
＜実施の形態１＞
図１は本実施の形態に係るプリンタカートリッジを使用時の構成を示す概略図である。
【００１１】
１は駆動部、２はカートリッジ部である。
【００１２】
図２はカートリッジ部２の構成を表しバッテリーカートリッジ部５とインクカートリッジ部４とペーパーカートリッジ部３を合体又は組合せて使用する構造になっている。
【００１３】
ペーパーカートリッジ部３がペーパーの交換追加がし易いように一番上に配置してあり、カートリッジ部が駆動部の上に装着する構成の場合は手前になるように配置してある。
【００１４】
図３はカートリッジ部２の異構成を表しバッテリーカートリッジ部５とインクカートリッジ部４を横に配列しペーパーカートリッジ部３を合体又は組合せて使用する構造になっている。
【００１５】
図４はカートリッジ部２には表示部が付属しバッテリーカートリッジ部からの電源でインクカートリッジ部のインク残量とバッテリーカートリッジ部の電池残量を表示する。
【００１６】
図５は駆動部１及びカートリッジ部２を含むシステムの構成で、駆動部１には電源安定部８を含んでおり、バッテリーカートリッジ部５から端子部７を経由した電源で駆動部１の電源を調整でき、又、外部からＡＣコードを接続することでカートリッジ部のバッテリを充電したり、或は駆動部自身を可動できる。
【００１７】
駆動部１は印刷機構１１、表示機構１３、ペーパー駆動機構６、インク送出機構９、印刷とスキャナー機構１０が含まれており、ペーパーカートリッジ部３からペーパーを抜き取り印刷機構を駆動し、駆動部の外或はペーパーカートリッジ部３の上段へ排出する機構１２が含まれている。
【００１８】
ペーパーカートリッジ部３から抜き取られたペーパーには、スキャナー機構で他の印刷されたペーパー或は記していないが、外部コネクタからの信号で得られた印刷情報で同期したインク送出機構で印刷される。
【００１９】
カートリッジ部２が駆動部１に装填されると、先ずバッテリーカートリッジ部５から電源が供給され、駆動部１が稼動して駆動部１内のインク残量、バッテリの容量、ペーパー残量を確認して表示機構１３に表示し、印刷のための準備を開始する。
【００２０】
バッテリーカートリッジ部５にはニッケル水素二次電池、リチウム二次電池、ポリマー二次電池等の二次電池、アルカリ一次電池或は燃料電池の何れかで構成することができる。
【００２１】
インクカートリッジ部４には印刷用のカラーインク又は黒インクが補充用としてチューブ又は袋に充填してあり、駆動部１からの信号で駆動部１に送出される。
【００２２】
又はインクを粘着したフィルムがロール状或はシート状に収納してあり、駆動部１により引き出されるようにすることもできる。
【００２３】
ペーパーカートリッジ部３には印刷される紙又はフィルムが例えばＡ５サイズ等の規定サイズで収納されている。
【００２４】
プリンタ本体の駆動部とカートリッジ部から構成するプリンタにおいて、カートリッジ部がバッテリーカートリッジ部とインクカートリッジ部とペーパーカートリッジ部の合体又は組合せて使用する構造を持つことでカートリッジ部を店でまとめて購入し、ワンタッチでプリンタ本体に装着でき簡単に操作することができる。
【００２５】
カートリッジ部が装着することで駆動部本体に電源が供給され、本体が駆動できるように準備できる
バッテリカートリッジ部、インクカートリッジ部及びペーパーカートリッジ部のプリンタ本体への装着場所を一箇所にすることで、操作を理解し易くすることができた。
【００２６】
バッテリーカートリッジ部、インクカートリッジ部及びペーパーカートリッジ部を１つのカートリッジ部に集めることで、バッテリーカートリッジ部、インクカートリッジ部及びペーパーカートリッジ部のそれぞれを軽量なカートリッジ部上でそれぞれの部分を別々に交換が可能になり持ち運びに便利で、消耗品部分としてリサイクルに適した構成にすることができる。
【００２７】
軽量なカートリッジ部上でバッテリーカートリッジ部、インクカートリッジ部の消耗品部分の残量を確認することが容易になった。
【００２８】
＜実施の形態２＞
次に、本発明の実施の形態２について説明する。
【００２９】
図６は本実施の形態に係るプリンタカートリッジを使用時のシステム構成を示す概略図である。
【００３０】
カートリッジ部２は、燃料カートリッジ部１４とインクカートリッジ部４とペーパーカートリッジ部３を合体又は組合せて使用する構造になっている。
【００３１】
ペーパーカートリッジ部３がペーパーの交換追加がし易いように一番上又は手前に配置してあることで紙１枚でも追加して印刷することが可能である。
【００３２】
燃料電池の燃料カートリッジ部１４には水素、アルコール又はエタノール等が封入してある。
【００３３】
駆動部１には燃料電池の本体が組み込まれており、燃料カートリッジ部１４が装着することで本体に燃料が供給され、本体が駆動できるように準備する。
【００３４】
弁部１５が燃料カートリッジ部１４の出口にあり、水素、アルコール又はエタノール等の漏れを防いでいる。
【００３５】
駆動部１本体に燃料電池の燃料から電気エネルギーへの変換部を持つことにより、カートリッジ部に消耗部品のみを集めることができる。又、燃料カートリッジ部のみを交換することが可能である。
【００３６】
プリンタカートリッジにおいて、燃料電池の燃料カートリッジ部１４と駆動部１本体の駆動部１の間の弁部１５には水素、アルコール又はエタノール等の液量計又は圧力計があり、駆動部に燃料の残量を表示することができる。
【００３７】
燃料電池の燃料カートリッジ部１４と駆動部１本体の駆動部１の間には液体又はガスが漏れないようにパッキン等の対策があるが水素は密閉することが困難なため、駆動部１側で水素の領域を小さな範囲に留めており、燃料カートリッジ部１４側でアルコール又はエタノール等の液体の状態で密閉してあり、カートリッジ部２が機械的に取り付くことで弁部１５が動作し燃料の移動が可能になる構成になっている。
【００３８】
又、駆動部１内にバックアップ電池を設けることで駆動部１内の電源でプリンタ本体からの要求信号で密閉が解除されるように構成することもでき、簡易なパッキン構造で構成することができる。
【００３９】
弁部１５を通った燃料は改質器と燃料電池１６で電気に変換され、電源安定部８に入る。後は実施の形態１と同じに構成することができる。
【００４０】
燃料電池の燃料カートリッジ部とプリンタ本体の駆動部の間には液体又はガスが漏れないようにパッキン等の対策が必要である。
【００４１】
燃料カートリッジ部と駆動部の間は燃料の漏れが起き易いため、駆動部の電力の使用量の変化を予測し、最適な起電力となるよう使用する電力が小さい時、つまり駆動部の準備期間は微量の燃料が弁部を通るようになっており、駆動部の要求する電力の変動に伴う燃料の圧力の変動に耐える燃料漏れ防止のため、機構部の繋ぎめにはパッキンを使用している。
【００４２】
カートリッジ部２は燃料カートリッジ部１４とインクカートリッジ部４とペーパーカートリッジ部３を合体又は組合せて使用する構造であり、燃料カートリッジ部１４を実施の形態１のバッテリーカートリッジ部のように端子部を持ち、燃料カートリッジ部１４内で電気に変換することで燃料カートリッジ部１４とバッテリーカートリッジ部は互換性を持つことができる。
【００４３】
燃料カートリッジ部１４で電気に変換する手段で、図４と同様にカートリッジ部２の表示部でバッテリーカートリッジ部からの電源でインクカートリッジ部のインク残量とバッテリーカートリッジ部の電池残量とペーパーカートリッジ部の印刷紙の残数を判断することができ、又、店での保管期間、保守期間の判断にすることができる。
【００４４】
弁部１５に端子部を併設することで、駆動部１とカートリッジ部２の両方の表示部に同時又は切替で異なる内容を表示することができる。この場合は図５と同じシステム構成で実現することができる。
【００４５】
図７は本実施の形態に係るプリンタカートリッジの動作を示すフローチャートである。
【００４６】
１７：カートリッジ部を装着し微量の燃料を駆動部に送る、
１７−１：駆動部の電気発生器で電気が発生し表示部に燃料残量、インク残量、ペーパー残量を表示する。
【００４７】
１７−２、３：印刷可能か燃料残量、インク残量及びペーパー残量が適量あるかを確認する
１７−４：燃料カートリッジから駆動部に多くの燃料が送られ、大電流が発生する。
【００４８】
１７−５：カートリッジ部からペーパーが駆動部に取り込まれ、印刷を開始する。
【００４９】
１７−６：印刷を完了すると、燃料カートリッジからの燃料の取り込み量を減少する
以上のように全体は動作する。
【００５０】
【発明の効果】
以上の説明で明らかなように、請求項１記載の発明によれば、プリンタ本体の駆動部とカートリッジ部から構成するプリンタにおいて、カートリッジ部がバッテリカートリッジ部とインクカートリッジ部とペーパーカートリッジ部の合体又は組合せて使用する構造を持つことでカートリッジ部を店でまとめて購入しワンタッチでプリンタ本体に装着でき簡単に操作することが可能になった。
【００５１】
又、バッテリカートリッジ部、インクカートリッジ部及びペーパーカートリッジ部のプリンタ本体への装着場所を一箇所にすることで、操作を理解し易くすることができた。
【００５２】
バッテリカートリッジ部、インクカートリッジ部及びペーパーカートリッジ部を１つのカートリッジ部に集めることで、バッテリカートリッジ部、インクカートリッジ部及びペーパーカートリッジ部のそれぞれを軽量なカートリッジ部上でそれぞれの部分を別々に交換が可能になり、持ち運びに便利で、消耗品部分としてリサイクルに適した構成にすることができた。
【００５３】
請求項２記載の発明によれば、プリンタ本体の駆動部とカートリッジ部から構成するプリンタにおいて、カートリッジ部にはペーパーカートリッジ部、インクカートリッジ部、燃料電池用の燃料カートリッジ部の合体又は組合せて使用する構造で、ペーパーカートリッジ部がペーパーの交換追加がし易いように一番上又は手前に配置してあることで紙１枚でも追加し印刷することが可能になった。
【００５４】
請求項３記載の発明によれば、カートリッジ部の表示部にバッテリーカートリッジ部からの電源でインクカートリッジ部のインク残量とバッテリーカートリッジ部の電池残量を表示する手段を持つことでカートリッジ部のみで消耗品の残量を判断することができ、又、店での保管期間と保守期間の判断にすることができた。
【００５５】
請求項４記載の発明によれば、プリンタ本体の駆動部とカートリッジ部から構成するプリンタにおいて、カートリッジ部がバッテリーカートリッジ部とインクカートリッジ部とペーパーカートリッジ部の合体又は組合せて使用する構造でカートリッジ部が装着することで駆動部本体に電源が供給され本体が駆動できるように準備できることで、プリンタを誰でも簡単に操作できるようになった。
【００５６】
請求項５記載の発明によれば、プリンタ本体に燃料電池の燃料から電気エネルギーへの変換部を持つことにより、カートリッジ部に消耗部品のみを集めることができ、一番頻繁に交換追加のあるペーパーを一番上又は手前に配置してある。
【００５７】
請求項６記載の発明によれば、プリンタカートリッジにおいて燃料電池の燃料カートリッジ部には水素、アルコール又はエタノール等が封入してあり、プリンタ本体の燃料電池の燃料から電気エネルギーへの変換部へ燃料を供給することができ、燃料カートリッジ部のみを交換することが可能になった。
【００５８】
請求項７記載の発明によれば、プリンタカートリッジにおいて、プリンタ本体の駆動部には燃料電池の本体が組み込まれており、燃料カートリッジ部が装着することで本体に燃料が供給され、本体が駆動できるように準備できることでユーザーが簡単に操作できるようになった。
【００５９】
請求項８記載の発明によれば、プリンタカートリッジにおいて、燃料電池の燃料カートリッジ部とプリンタ本体の駆動部の間には水素、アルコール又はエタノール等の液量計又は圧力計があり、駆動部に燃料の残量を表示する手段を持つことでカートリッジ部の印刷可能枚数を判断することができ、又、店での保管期間と保守期間の判断することができた。
【００６０】
請求項９記載の発明によれば、プリンタカートリッジにおいて、燃料電池の燃料カートリッジ部とプリンタ本体の駆動部の間には液体、又はガスが漏れないようにパッキン等の対策があるが水素は密閉することが困難なため水素の領域を小さな範囲に留めており、アルコール又はエタノール等の液体の状態で密閉してあり、プリンタ本体からの要求信号で密閉が解除されるように構成してあり、簡易なパッキン構造で構成することができた。
【図面の簡単な説明】
【図１】本発明の実施の形態１に係るプリンタカートリッジを使用時の構成を示す概略図である。
【図２】本発明の実施の形態１に係るプリンタスートリッジのカートリッジ部の構成例を示す図である。
【図３】本発明の実施の形態１に係るプリンタスートリッジのカートリッジ部の構成例を示す図である。
【図４】本発明の実施の形態１に係るプリンタスートリッジのカートリッジ部の構成例を示す図である。
【図５】本発明の実施の形態１に係るプリンタカートリッジを使用時のシステム構成を示す概略図である。
【図６】本発明の実施の形態２に係るプリンタカートリッジを使用時のシステム構成を示す概略図である。
【図７】本発明の実施の形態２での動作を示すフローチャートである。
【図８】従来例を示す図である。
【符号の説明】
１        駆動部
２        カートリッジ部
３        ペーパーカートリッジ部
４        インクカートリッジ部
５        バッテリカートリッジ部
６        ペーパー駆動機構
７        端子部
８        電源安定部
９        インク送出機構
１０        印刷とスキャナー機構
１１        印刷機構
１２        排出する機構
１３        表示機構
１４        燃料カートリッジ部
１５        弁部
１６        改質器と燃料電池
【図１】
2004160701.tif 000003
【図２】
2004160701.tif 000004
【図３】
2004160701.tif 000005
【図４】
2004160701.tif 000006
【図５】
2004160701.tif 000007
【図６】
2004160701.tif 000008
【図７】
2004160701.tif 000009
【図８】
2004160701.tif 000010